(57)【特許請求の範囲】
【請求項１】
上流側フロートと下流側フロートとの間に所定数の中継フロートが配置され、各フロートの間が人工水路で連結されて一連の連結水路が構成された魚道用人工水路であって、各フロートに、連結水路内に水流を作り出すための水流創生手段が設けられ、上流側フロート及び所望により他のフロートに集魚手段が設けられてなることを特徴とする魚道用人工水路。
【請求項２】
水流創生手段が水車であることを特徴とする請求項１記載の魚道用人工水路。
【請求項３】
集魚手段が照明器具又は散水器具であることを特徴とする請求項１記載の魚道用人工水路。
【請求項４】
照明器具が魚が好む色彩の水中ランプであることを特徴とする請求項３記載の魚道用人工水路。
【請求項５】
散水器具が放射状水連膜創生管及び／又はシャワーであることを特徴とする請求項３記載の魚道用人工水路。
【請求項６】
各フロートが箱状であり、その上面部の中央部に、先端部から後端部に向かって溝状の水路が形成されてなることを特徴とする請求項１記載の魚道用人工水路。
【請求項７】
上流側フロートにおいて、水路が先端部近傍で二つに分岐されて二つの水路口が形成され、且つ先端部に補助フロートが設けられてなることを特徴とする請求項６記載の魚道用人工水路。
【請求項８】
各フロートの上面部に、内部点検用の出入口が設けられてなることを特徴とする請求項６記載の魚道用人工水路。
【請求項９】
人工水路が、所定間隔で連続して配置された水路形状保持枠の外側及び／又は内側に可撓性膜が張り付けられてなることを特徴とする請求項１記載の魚道用人工水路。
【請求項１０】
所定数の水路形状保持枠が、二個の補助フロートに跨がって取り付けられた所定形状の枠組み形部材に取り付けられ、該水路形状保持枠の外側及び／又は内側に可撓性膜が張り付けられて一組の人工水路構成要素が構成され、該人工水路構成要素が互いに連結材で連結されて人工水路が形成されてなることを特徴とする請求項９記載の魚道用人工水路。
【請求項１１】
水路形状保持枠がＵ字形丸棒であることを特徴とする請求項９記載の魚道用人工水路。
【請求項１２】
可撓性膜がゴム膜、ゴム引き布膜、プラスチックシート、ラミネートシート、織布膜、不織布膜、又はこれらの組み合わせからなることを特徴とする請求項９記載の魚道用人工水路。
【請求項１３】
補助フロートの下側に、補助フロートの安定性を良くするための重錘が取り付けられてなることを特徴とする請求項９記載の魚道用人工水路。
【請求項１４】
補助フロートの上側に、太陽光発電装置が取り付けられてなることを特徴とする請求項９記載の魚道用人工水路。
【請求項１５】
各フロートと人工水路とが緩衝材を介して連結されてなることを特徴とする請求項１記載の魚道用人工水路。
【請求項１６】
不使用期間中は、上流側フロート、中継フロート及び下流側フロートが係留設備により係留され、又、使用時には上流側フロート、中継フロート及び下流側フロートが魚搬送設備に取り付けられてなることを特徴とする請求項１記載の魚道用人工水路。
【請求項１７】
下流側フロートに、魚の逃走を防止するための開閉可能な水路閉塞用スクリーンが取り付けられてなることを特徴とする請求項１記載の魚道用人工水路。
【発明の詳細な説明】
【０００１】
【産業上の利用分野】
本発明は魚道用人工水路、更に詳しくは、上流側フロート、下流側フロート、中継フロート及び人工水路からなり、移動可能であり且つある程度の可撓性を有し、ダム湖などにおけるような河川の大きな水位変動に対しても適用可能な魚道用人工水路に関するものである。
【０００２】
【従来の技術】
昨今は、建設省、農林水産省の「魚の棲み易い川作り推進」という行政指導の下で、河川横断構造物（例えば、ダムなど）に設けられた魚道設備は、既設、新設を問わず、魚の生態に一層合致し、水理的にも良好で、しかも経済的である形式に改善されるか、又は、この様な形式での新設が認められる方向に進みつつある。
【０００３】
従来、中低落差を有する河川横断構造物には必要な場合は魚道が併設されているが、これらの魚道は上流水位の変動が小さい場合、或いは前記変動が２〜５ｍの場合に対応するものであり、高落差を有する前記構造物を越え、しかも水位変動の大きいダム湖に魚類を遡上させ、又は逆にダム湖から前記構造物を越えて下流河川に魚類を降下させるための本格的設備は本邦及び世界を見渡しても殆ど見受けられない。
【０００４】
又、魚の遡上や降下を促進するための流れの発生装置又は降下魚を集魚するための装置を有する魚道設備も未だ見受けられない。この様な魚道設備に類似した設備としては、例えば図２５に示す設備がある。図２５の設備は鮎の人工養殖をするための人工河川で、琵琶湖１の主要な流入河川である姉川、安曇川の河口部に設けられており、取水管２、揚水ポンプ３、親魚養成池４、人工産卵床５などの設備からなる。下記表１に前記人工河川の仕様を示す。
【表１】
0003600966.tif 000002
【０００５】
【発明が解決しようとする課題】
かかる状況のなかで、高落差を有する河川横断構造物に魚類の遡上、降下を行わしめるためにに有効に機能する魚道設備を設けようとすれば、この魚道設備は、従来の魚道設備とは異なり、下記に例示するような厳しい条件を満たさなければならない。なお、以下、河川横断構造物がダムである場合について説明する。▲１▼  大きな水位変動にも対応し得ること。
１０〜１５ｍ程度の水位変動の場合には、海外で適用例のあるボーランド（Ｂｏｒｌａｎｄ  ）方式で対応しようという動きがあり、水理実験が実施され、実施の検討も行われている。しかし、例えば２５ｍ程度の大きな水位変動に対応し得る魚道設備は殆ど提案されていない。
▲２▼  ダム上流側の堪水面積が大きい場合にも適用し得ること。
この場合には、遡上魚の上流側への誘導、降下魚の集魚や下流側への誘導を効果的に行う必要がある。
▲３▼  ダム上流側を広範囲に防塵するために（例えば、流木などの流入によるダム取水口の閉塞を防止するため）、ダム本体からかなり離れた上流側に左右両岸を結ぶ網場が設けられているが、この網場の外側から魚をダムまで又はダムから網場の外側まで魚を有効に誘導し得ること。
【０００６】
しかしながら、前述の高落差を有するダムを通過して魚類の遡上、降下を計るための手段は、現在、殆ど発表されていない。本発明は前記従来技術の問題点を解決するためのものであり、その目的とするところは、高堤高、高水位変動、広い貯水池を有するダムなどに有効に適用し得る新規魚道用人工水路（魚道設備）を提供することにある。
【０００７】
【課題を解決するための手段】
すなわち本発明の魚道用人工水路は、上流側フロートと下流側フロートとの間に所定数の中継フロートが配置され、各フロートの間が人工水路で連結されて一連の連結水路が構成された魚道用人工水路であって、各フロートに、連結水路内に水流を作り出すための水流創生手段が設けられ、上流側フロート及び所望により他のフロートに集魚手段が設けられてなることを特徴とする〔以下、ｉと称する〕。
【０００８】
本発明の魚道用人工水路を用いた魚道においては、ダム下流側からの魚道は、常時満水位レベルに相当する位置までダム本体を一部貫通してダム上部まで設けられ、例えば遡上魚の場合には、ダム下流側の河川まで到着した魚は適当な魚搬送手段と固定魚道によりダム貯水位まで搬出され、次いで本魚道用人工水路に入る。降下魚の場合には、先ず本魚道用人工水路に入り、次いで適当な魚搬送手段、固定魚道を経てダム下流側の河川に至る。
【０００９】
本発明の魚道用人工水路において、下記の形態のものは好ましい。
ｉｉ）    水流創生手段が水車であるｉの魚道用人工水路。
ｉｉｉ）  集魚手段が照明器具又は散水器具であるｉの魚道用人工水路。
ｉｖ）    照明器具が魚が好む色彩の水中ランプであるｉｉｉ  の魚道用人工水路。
ｖ）  散水器具が放射状水連膜創生管及び／又はシャワーであるｉｉｉ  の魚道用人工水路。
ｖｉ）    各フロートが箱状であり、その上面部の中央部に、先端部から後端部に向かって溝状の水路が形成されてなるｉの魚道用人工水路。
ｖｉｉ）  上流側フロートにおいて、水路が先端部近傍で二つに分岐されて二つの水路口が形成され、且つ先端部に補助フロートが設けられてなるｖｉの魚道用人工水路。
ｖｉｉｉ）  各フロートの上面部に、内部点検用の出入口が設けられてなるｖｉの魚道用人工水路。
ｉｘ）    人工水路が、所定間隔で連続して配置された水路形状保持枠の外側及び／又は内側に可撓性膜が張り付けられてなるｉの魚道用人工水路。
ｘ）  所定数の水路形状保持枠が、二個の補助フロートに跨がって取り付けられた所定形状の枠組み形部材に取り付けられ、該水路形状保持枠の外側及び／又は内側に可撓性膜が張り付けられて一組の人工水路構成要素が構成され、該人工水路構成要素が互いに連結材で連結されて人工水路が形成されてなるｉｘの魚道用人工水路。
ｘｉ）    水路形状保持枠がＵ字形丸棒であるｉｘの魚道用人工水路。
ｘｉｉ）  可撓性膜がゴム膜、ゴム引き布膜、プラスチックシート、ラミネートシート、織布膜、不織布膜、又はこれらの組み合わせからなるｉｘの魚道用人工水路。
ｘｉｉｉ）  補助フロートの下側に、補助フロートの安定性を良くするための重錘が取り付けられてなるｉｘの魚道用人工水路。
ｘｉｖ）  補助フロートの上側に、太陽光発電装置が取り付けられてなるｉｘの魚道用人工水路。
ｘｖ）    各フロートと人工水路とが緩衝材を介して連結されてなるｉの魚道用人工水路。
ｘｖｉ）  不使用期間中は、上流側フロート、中継フロート及び下流側フロートが係留設備により係留され、又、使用時には上流側フロート、中継フロート及び下流側フロートが魚搬送設備に取り付けられてなるｉの魚道用人工水路。
ｘｖｉｉ）  下流側フロートに、魚の逃走を防止するための開閉可能な水路閉塞用スクリーンが取り付けられてなるｉの魚道用人工水路。
【００１０】
水流創成手段は、魚を傷つけずに水路内に流れを創成することができる手段のうち適するものを選択する。例えば、水流創成手段は水吐出ポンプや水車などであってよい。水車は、魚を傷つけることなく水路内の水を攪拌し、穏やかな水流を創成し得るので都合が良い。
【００１１】
集魚手段は、魚を効率良く集めることができ且つ構造が簡単な手段を使用するとよい。魚は好みの色彩の光や水飛沫に引かれて集まる習性があるので、照明器具や散水器具は良い集魚手段である。
【００１２】
照明器具としては、投光機や水中ランプが挙げられる。水中ランプを使用すると魚を集めることができると共に、魚道用人工水路の水中部分も照らし出されるので、魚道用人工水路の保守・管理の点でも都合が良い。水中ランプの色彩は、魚が好む色彩を魚の種類に応じて選択するとよい。
【００１３】
散水器具としては、例えば放射状水連膜創生管（例えば、噴水などに使用されているもの）やシャワーが簡便で使用し易い。
【００１４】
各フロートの形状は適宜選択してよいが、例えば、箱状であり、その上面部の中央部に、先端部から後端部に向かって溝状の水路が形成されてなるものは形状及び構造が簡単なので製作し易い。
【００１５】
上流側フロートの先端部では水路口（入口又は出口）は一つであってもよいが、防塵（例えば、流木などの流入を避ける）のために、例えば、上流側フロートにおいて、水路を先端部近傍で二つに分岐して二つの水路口を形成してもよい。又、この際、先端部に補助フロートを設けると、上流側フロートの浮力を調整し易くなる。
【００１６】
各フロートの上面部に、内部点検用の出入口（例えば、マンホール）を設けると、各フロート内部に自由に人が出入り又は計器を出し入れすることができるので、各フロート内部の点検が容易となる。
【００１７】
人工水路の形成方法は特に限定されないが、例えば、所定間隔で連続して配置した水路形状保持枠の外側及び／又は内側に可撓性膜を張り付けて形成することができる。
【００１８】
所定数の水路形状保持枠が、二個の補助フロートに跨がって取り付けられた所定形状の枠組み形部材に取り付けられ、該水路形状保持枠の外側及び／又は内側に可撓性膜が張り付けられて一組の人工水路構成要素が構成され、該人工水路構成要素が互いに連結材で連結されて人工水路が形成されてなる本魚道用人工水路は、前記人工水路構成要素を互いに連結することにより種々の長さの魚道用人工水路が容易に構成されるので、適用範囲が広い。
【００１９】
水路形状保持枠の大きさや形状は適宜選択してよく、例えば丸棒をＵ字状に曲げたＵ字形丸棒を使用することができる。
【００２０】
人工水路に用いる可撓性膜は耐水性で成形が容易なものがよく、例えば、ゴム膜、ゴム引き布膜、プラスチックシート、ラミネートシート、織布膜、不織布膜、又はこれらの組み合わせからなるもののうち、適するものを選択するとよい。
【００２１】
人工水路の補助フロートの安定性が悪いと人工水路全体が動揺するので、補助フロートの下側には、補助フロートの安定性を良くするための手段、例えば重錘を取り付けるとよい。
【００２２】
人工水路の補助フロートの上側に、太陽光発電装置を取り付けると、得られる電力で照明（例えば、水中ランプ）や電動具（例えば、放射状水連膜創生管やシャワー）を作動させることができ、電力の節約になる。
【００２３】
各フロートと人工水路とは、互いの衝突による損傷をさけるために、例えば緩衝材を介して連結するとよい。この場合の緩衝材としては慣用の緩衝材、例えばゴム、ポリウレタンなどの弾性プラスチック、バネなどを単独又は組み合わせて使用することができる。
【００２４】
不使用期間中は、上流側フロート、中継フロート及び下流側フロートは、適する係留設備、例えば係留用ワイヤー（テンションワイヤー）及びアンカーブロックなどにより所定位置に係留するとよい。又、使用時には上流側フロート、中継フロート及び下流側フロートは互いに連結して適当な魚搬送設備に取り付け、固定して使用する。
【００２５】
下流側フロートには、前記魚搬送設備で魚を搬送する際に魚の逃走を防止するための手段、例えば開閉可能な水路閉塞用スクリーンを取り付け、魚搬送設備の例えば搬送ボックスの動きと連動させて適宜水路末端を閉塞又は開放することにより、魚を効率良く搬送ボックス内に取り込むことができる。
【００２６】
前述の事柄以外に、本発明の魚道用人工水路に用いる種々の部材の材質、大きさ、形状、数、色、組み合わせ等は、同種分野（すなわち、魚道）で通常使用されるものを用いてよい。
【００２７】
【作用】
本発明の魚道用人工水路においては、各フロートに設けられた水流創生手段（例えば、水車）により連結水路内に水流が作り出されるので、流れを遡上又は降下する性質を有する魚は効率良く本人工水路を遡上又は降下する。又、本人工水路には、上流側フロート及び所望により他のフロートに集魚手段が設けられているので、流れを降下する魚は上流側フロートの集魚手段により本人工水路内に誘引され、そのまま本人工水路内を降下し、他方、流れを遡上する魚は、一旦本人工水路内に入った後は、流れに逆らって本人工水路内を進み、上流側フロートの集魚手段により誘導されて河川上流部に出る。
【００２８】
又、本発明の魚道用人工水路は、上流側フロート、中継フロート及び下流側フロートをワイヤー及びアンカーブロックによって係留することができるため、大きな水位変動に対しても追従可能である。
【００２９】
【実施例】
以下に、本発明の実施例を添付図面に基づいて詳述する。下記実施例は単に本発明を説明するためのみのものであり、何等の限定的な意味を有するものではない。なお、以下の説明においては、本発明の魚道用人工水路を全体として又は各構成要素に分けて説明する。
【００３０】
Ｉ．魚道用人工水路全体
図１に本発明の一実施例の魚道用人工水路（全体図）を示す。上流側フロート６と下流側フロート７との間には、所定数の中継フロート８が配置されており、各フロートの間は人工水路９で連結されて一連の連結水路が構成されている。上流側フロート６は、ダム湖に設けられた網場１０の外側（河川の上流側）に出ている。又、上流側フロート６及び中継フロート８は各々、係留用ワイヤー１１及びアンカーブロック１２によってダム湖の底に固定されている。下流側フロート７の一端は、堤体１３の壁面に設けられた魚搬送設備１４に取り付けられている。
【００３１】
図２は図１の魚道用人工水路の不使用時の係留配置を示す。不使用時には、上流側フロート６、中継フロート８及び下流側フロート７は各々、テンションワイヤー１５及びアンカーブロック１６によってダム湖の底に固定されている。
【００３２】
図３に、図１の魚道用人工水路と魚搬送設備との接続状態を示す。図３に示される如く、本発明の魚道用人工水路は水位変動幅が例えば２０〜２５ｍ程度ある場合でも使用可能であり、水位変動に応じて湖面に浮かんだ状態で湖面と共に上昇又は下降するが、各場合において、下流側フロート７の一端部は、堤体１３の壁面に垂直方向に設けられた魚搬送設備１４（本例では、エレベーター式のものを示す）の適する位置に取り付けられる。
【００３３】
ＩＩ．上流側フロート
イ）  図４は、図１の魚道用人工水路の上流側フロート６の上面図である。浮力体１７は鋼板を用いて箱状に形成されており、中央部に水路１８を有する。又、上流側フロート６には、上面の作業スペースを広くするために張り出し床１９が設けられている。上流側フロート６の先端部（丸味を帯びた部分）の上面及び下面からは鋼製の枠材２０が放射状に突き出しており、上流側フロート６の先端部の骨格構造（円弧状）を形成している。前記骨格構造の側面及び底面には、スクリーン２１が取り付けられ、スクリーン２１の外側に透明なポリ塩化ビニール膜２２が張られている。この構造によって、遠方からも上流側フロート６の先端部を見通すことができる。例えば、魚が光や水シャワー及び水膜を容易に確認することができる。ポリ塩化ビニール膜２２は、上流側フロート６の先端部の側面及び底面を円弧状に取り囲んで、上流側フロート６の先端部の防塵の役割も担うが、但し、骨格構造の後方部分には設けられていないので、水及び魚は、降下の場合には、図中矢印の如く骨格構造の後方部分から上流側フロート６の水路１８に入る（反対に、遡上の場合には、水路１８から骨格構造の後方部分を経て網場１０の外側に出る）。
【００３４】
上流側フロート６の後端部の水路１８には、軸２３及び軸受２４により軸支された水車２５が取り付けられている。水車２５は、電動機付き減速機２６により、チェーン２７及びチェーンホイール２８を介して駆動される。又、上流側フロート６の上面には、上流側フロート６を係留する際にアンカーブロック１２からの係留用ワイヤー１１を固縛するためのボラード２９、上流側フロート６の内部を点検するための点検口としてマンホール３０が設けられている。
【００３５】
図５は、図４をＡ方向から見た図である。集魚装置としては水中に水中ランプ３１が設けられており、そして水上の前記骨格構造には水滴又はシャワー口３２が設けられている。又、水上にもランプ３３が設けられている。水滴又はシャワー口３２への送水は、適当なポンプ手段例えば、片吸い込み渦巻きポンプ３４によって行う。ここで、ポリ塩化ビニール膜２２は外部の水流を遮蔽し、外部の水流に起因する外乱因子を除去して所望の水シャワー及び水膜の創成を容易にする機能も果たしている。図６は、図４をＢ方向から見た図である。水車２５の下半分が浸漬されることにより、水路１８の深さ全体にわたって水流が生じることが判る。図７は、図４をＣ線に沿って切断した方向から見た説明図である。放射状水連膜創生管３５は、吐出口が水面上に出るようにして、浮力体１７から張り出した受け台３６に取り付けられている。
【００３６】
ロ）  図８に、本発明の魚道用人工水路の別の上流側フロート３７の上面図を示す。図８（ａ）の上流側フロート３７においては、浮力体３８の水路１８は先端部で水路３９及び水路４０の二つに分岐している。又、前記先端部には、浮力調整用の補助フロート４１（本例では２個）を設けている。上流側フロート３７の他の構造は基本的に上流側フロート６の構造と同一であり、例えば図８（ｂ）に示す如く、骨格構造の側面及び底面には、スクリーン２１が取り付けられ、スクリーン２１の外側に透明なポリ塩化ビニール膜２２が張られている。図９は、図８をＤ線に沿って切断した方向から見た説明図である。水中ランプ３１、水滴又はシャワー口３２、片吸い込み渦巻きポンプ３４などの設備が所定位置に配置されているのが判る。
【００３７】
ＩＩＩ  ．中継フロート
図１０は、図１の魚道用人工水路の中継フロート８の上面図である。浮力体４２は鋼板を用いて箱状（直方体状）に形成されており、中央部に水路１８を有する。浮力体４２の両側には、上面の作業スペースを広くするために張り出し床４３が設けられている。上流側フロート６と異なり、中継フロート８には集魚装置は考慮せず、通常、浮力体４２の上部にランプ３３が、又、浮力体４２の水路１８の底部に水中ランプ３１が設けられている。他に中継フロート８には、上流側フロート６と同様に、水車２５、マンホール３０、ボラード２９などの設備が設けられている。図１１は、図１０をＥ方向から見た図である。
【００３８】
ＩＶ．下流側フロート
図１２は、図１の魚道用人工水路の下流側フロート７の上面図である。下流側フロート７の基本的構成及び付帯設備は、中継フロート８の場合と同じである。すなわち、浮力体４４は鋼板を用いて箱状（直方体状）に形成されており、中央部に水路１８を有する。浮力体４４の両側には、張り出し床４５が設けられている。中継フロート８と人工水路９との間並びに中継フロート８と魚搬送設備１４との間には、緩衝ゴム４６が取り付けられている。又、中継フロート８と魚搬送設備１４とは、引っ掛け金物４７で接続されている。更に、水路１８の魚搬送設備１４側の端部には、巻上機４８で開閉されるスクリーン４９が備えられている。図１３は、図１２をＦ方向から見た図である。バラスト５０は喫水線の調整に用いる（バラスト５０前述の各フロートにも共通するものである）。
【００３９】
図１４は、下流側フロート７と魚搬送設備１４との接続状態を示す図（図１２をＧ方向から見た図）である。この場合の魚搬送設備１４は、搬送ボックス５１を有するエレベーター式のものである。以下、下流側フロート７と魚搬送設備１４とが関連する動きの一例を説明する。例えば、下流側フロート７の水路１８内の魚を搬送ボックス５１内に取り込む（魚の降下）際には、搬送ボックス５１を所定位置に配置した後、巻上機４８によってスクリーン４９を引上げ、水路１８末端の閉鎖を解除して搬送ボックス５１内に魚を効率良く取り込む。反対に、搬送ボックス５１内の魚を下流側フロート７の水路１８内に放出させる（魚の遡上）際には、搬送ボックス５１を所定位置に配置し、水路１８内に魚を放出させた後、巻上機４８を巻戻してスクリーン４９を下降させ、水路１８末端を閉鎖すると、魚が搬送ボックス５１内に入る（戻る）のを阻止することができる。搬送ボックス５１が所定位置になく、水路１８に流れがある場合、降下魚が搬送設備に入り集魚状態になるのを防ぐために、スクリーン４９は閉めておく（魚が集まった状態で上から搬送ボックス５１が降りてくると、魚の逃げ場がない）。
【００４０】
Ｖ．人工水路
図１５に人工水路９の一例を示す。本人工水路９は、人工水路構成要素５２を互いに鋼製の連結材５３で連結することにより形成される。又、人工水路構成要素５２は、水路形状保持枠としての所定数（本例では３本）の鋼製のＵ字形丸棒５４（図１６参照）が、二個の補助フロート５５に跨がって取り付けられた（補助フロート５５の胴体に取り付けられたバンド鋼５６に溶接されている）所定形状の鋼製の枠組み形部材５７に取り付けられ、Ｕ字形丸棒５４の外側（及び／又は内側でもよい）に可撓性膜として例えば透明なポリ塩化ビニール膜２２が張り付けられて構成されている。図１６は、図１５をＨ方向から見た図である。バンド鋼５６には、補助フロート５５の安定性を向上させるための重錘５８が取り付けられている。又、図１６において、ポリ塩化ビニール膜２２の取り付け位置を斜線で示す。
【００４１】
図１７は、図１６をＬ方向から見た図である。バンド鋼５６の上下には丸環５９が溶接され、丸環５９の中に主ロープ６０が通されている。主ロープ６０の両端は各フロートのボラード２９に固縛され、これによって人工水路９の動きが規制される。又、補助フロート５５は当て板６１を介して垂直材６２に強固に固定されている。
【００４２】
図１８に可撓性膜としてのポリ塩化ビニール膜２２の端部の枠組み形部材５７への取り付け状態を示す。図１８（ａ）は図１５をＪ線に沿って切断した方向から見た説明図であり、ポリ塩化ビニール膜２２は補助フロート５５の周囲の一部を被覆し、端部が枠組み形部材５７に取り付けられている。又、図１８（ｂ）は図１５をＫ線に沿って切断した方向から見た図であり、ポリ塩化ビニール膜２２は途中でＵ字形丸棒５４から離れ、端部が枠組み形部材５７に取り付けられている。
【００４３】
各フロートに搭載する各装置の電源としては、商業電源又は代替エネルギーによる電源を使用することができる。例えば、天然のクリーンなエネルギー源としての太陽光を利用する太陽光発電装置を使用することができる。図１９に太陽光発電装置の取り付け構造を示す。枠組み形部材５７上に支持用形部材６３を組付け、その上に太陽光セル６４を取り付ける。図２０は図１９をＭ方向から見た図である。太陽光セル６４から得られた電力は、直接に又は例えば適宜設けた蓄電装置（図示せず）に一時蓄電した後に、前記各装置に供給する。
【００４４】
ＶＩ．人工水路と各フロートとの接続及び水路接続
人工水路９と各フロートとの接続様式の例として、人工水路９と中継フロート８との接続様式の一例を図２１に示す。ジャバラ式水路６５は、枠組み形部材５７と中継フロート８の端面との間に設けられる。図２２は図２１をＮ線に沿って切断した方向から見た説明図であり、緩衝ゴム４６（これは各フロートに設けられている）が中継フロート８の端面に上下に２列設けられているのが判る。
【００４５】
ＶＩＩ  ．係留設備
テンションワイヤー１５による各フロートの係留様式の例として、テンションワイヤー１５による中継フロート８の係留様式の一例を図２３に示す。図２３（ａ）の如く、テンションワイヤー１５と中継フロート８との連結は連結材６６で行う。図２３（ｂ）に連結材６６の拡大図を示す。連結材６６の一端は中継フロート８の回転ポスト６７にピン６８で接続され、連結材６６の他端は取り外し式のＵ字環６９（連結材６６にボルトで取り付けられている）でテンションワイヤー１５と接続される。連結材６６は回転ポスト６７を回転中心として回転可能である。
【００４６】
図２４に、テンションワイヤー１５と湖底及び湖岸との固定状態を示す。すなわち、図２４（ａ）の如く、テンションワイヤー１５の一端は河川底に固着されたアンカーブロック７０に固定され、又、テンションワイヤー１５の他端は河川岸に固着されたアンカーブロック７１に固定されている。図２４（ｂ）は図２４（ａ）をＰ方向から見た図である（中継フロート８などは省略した）。
【００４７】
【発明の効果】
本発明の魚道用人工水路は、上流側フロートと下流側フロートとの間に所定数の中継フロートが配置され、各フロートの間が人工水路で連結されて一連の連結水路が構成された魚道用人工水路であって、各フロートに、連結水路内に水流を作り出すための水流創生手段が設けられ、上流側フロート及び所望により他のフロートに集魚手段が設けられてなるため、ダムなどの河川横断構造物により河川が遮断されて水位変動の大きなダム湖が形成されている場合でも、流れを降下する魚は集魚手段により本人工水路内に誘引され、そのまま本人工水路内を降下し、他方、流れを遡上する魚は、一旦本人工水路内に入った後は、作られた流れに向かう魚の向流性により本人工水路内を遡上し、上流側フロートから河川上流部に出るので、河川を遡上、降下する魚を河川横断構造物を越えて所定の位置の間を効率良く移動させることができる。
【００４８】
水流創生手段を水車とすると、構造が簡単で且つ景観を損ねないため好ましく、更に、魚を傷つけることなく穏やかな水流を創成し得るので、魚の遡上率及び／又は降下率を高めることができる。
【００４９】
集魚手段を照明器具又は散水器具とすると、構造が簡単で種々の大きな、形状のものを容易に選択及び入手可能であり、魚を効率良く集めることができる。
【００５０】
水中ランプは集魚効率が良く、且つ魚道用人工水路の水中部分の照明としての機能も果たし、魚道用人工水路の保守・管理の点でも有用である。
【００５１】
散水器具として放射状水連膜創生管及び／又はシャワーを使用すると、見た目も美しく、景観を損ねず、構造も簡単で且つ集魚効率が良い。
【００５２】
各フロートの形状が箱状であり、その上面部の中央部に、先端部から後端部に向かって溝状の水路が形成されてなるものは、形状及び構造が簡単なので、例えば鋼板などを用いて種々の大きさのものを容易に製作可能である。
【００５３】
上流側フロートにおいて、水路が先端部近傍で二つに分岐されて二つの水路口が形成され、且つ先端部に補助フロートが設けられてなるものは、水路口が流木などの塵により閉塞され難く、防塵性に優れている。又、この際、先端部に補助フロートを設けると、上流側フロートの動揺を低く抑えることができるので、魚が水路口から出入りし易くなってよい。
【００５４】
各フロートの上面部に、内部点検用の出入口が設けられてなるものは、各フロート内部の点検が容易となるので、常に各フロート内部を好適な状態に保持することができ、本発明の魚道用人工水路の性能を好ましく保持すると共に、各フロートの使用寿命性を向上させることができる。
【００５５】
人工水路を、所定間隔で連続して配置した水路形状保持枠の外側及び／又は内側に可撓膜を張り付けて形成すると、前記枠及び前記可撓膜のみから簡便迅速に人工水路を形成することが可能である。
【００５６】
所定数の水路形状保持枠が、二個の補助フロートに跨がって取り付けられた所定形状の枠組み形部材に取り付けられ、該水路形状保持枠の外側及び／又は内側に可撓膜が張り付けられて一組の人工水路構成要素が構成され、該人工水路構成要素が互いに連結材で連結されて人工水路が形成されてなる本魚道用人工水路は、互いに連結する人工水路構成要素の数を変更することにより、設置場所に応じて種々の長さの人工水路を容易に構成することができる。
【００５７】
水路形状保持枠をＵ字形丸棒とすると、一般的な丸棒鋼材から所定の大きさの水路形状保持枠を容易に得ることができる。
【００５８】
可撓膜は、ゴム膜、ゴム引き布膜、プラスチックシート、ラミネートシート、織布膜、不織布膜、又はこれらの組み合わせからなるものが入手し易く、又、取り扱いも容易である。
【００５９】
補助フロートの下側に、補助フロートの安定性を良くするための重錘を取り付けると、人工水路全体の動揺を抑えることができ、水理を安定させることができる。
【００６０】
補助フロートの上側に、太陽光発電装置を取り付けると、自然エネルギーの有効利用が計れると共に、得られる電力を本魚道用人工水路のための種々の目的に使用することができる。
【００６１】
各フロートと人工水路とを緩衝材を介して連結すると、各フロート及び人工水路の互いの衝突時の衝撃が緩和又は吸収されるので、各フロート及び人工水路の耐久性が向上する。
【００６２】
不使用期間中は、上流側フロート、中継フロート及び下流側フロートが係留設備により係留され、又、使用時には上流側フロート、中継フロート及び下流側フロートが魚搬送設備に取り付けられてなる本魚道用人工水路は、例えば係留用ワイヤーやアンカーブロックなどの係留設備を適宜調節することにより、大幅に水位が変動する場合でも確実に追従し、固定することが可能であり、それ故、大幅な水位変動に対しても適用することができる。
【００６３】
下流側フロートに、魚の逃走を防止するための開閉可能な水路閉塞用スクリーンを取り付けると、降下する魚を魚搬送設備の例えば搬送ボックス内に取り込む際に、魚が水路側に逃走するのを簡単且つ有効に阻止することができるので、魚を効率良く搬送することができる。又、搬送ボックスが本魚道用人工水路から離れると同時に水路閉塞用スクリーンを閉めると、搬送ボックスと下流側フロートとが接続されていない場合（搬送ボックスが所定位置にない場合）でも、本魚道用人工水路の流れにより魚搬送設備の架構に集魚するのを防ぐことができる。
【図面の簡単な説明】
【図１】本発明の一実施例の魚道用人工水路を示す図である。
【図２】図１の魚道用人工水路の不使用時の係留配置を示す図である。
【図３】図１の魚道用人工水路と魚搬送設備との接続状態を示す図である。
【図４】図１の魚道用人工水路の上流側フロートの上面図である。
【図５】図４をＡ方向から見た図である。
【図６】図６は、図４をＢ方向から見た図である。
【図７】図４をＣ線に沿って切断した方向から見た説明図である。
【図８】本発明の魚道用人工水路の別の上流側フロートの上面図である。
【図９】図８をＤ線に沿って切断した方向から見た説明図である。
【図１０】図１の魚道用人工水路の中継フロートの上面図である。
【図１１】図１０をＥ方向から見た図である。
【図１２】図１の魚道用人工水路の下流側フロートの上面図である。
【図１３】図１２をＦ方向から見た図である。
【図１４】下流側フロートと魚搬送設備との接続状態を示す図である。
【図１５】人工水路の一例を示す図である。
【図１６】図１５をＨ方向から見た図である。
【図１７】図１６をＬ方向から見た図である。
【図１８】図１５をＪ線又はＫ線に沿って切断した方向から見た説明図である。
【図１９】太陽光発電装置の取り付け構造を示す図である。
【図２０】図１９をＭ方向から見た図である。
【図２１】人工水路と中継フロートとの接続様式の一例を示す図である。
【図２２】図２１をＮ線に沿って切断した方向から見た説明図である。
【図２３】テンションワイヤーによる中継フロートの係留様式の一例を示す図である。
【図２４】テンションワイヤーと河川底及び河川岸との固定状態を示す図である。
【図２５】鮎の人工養殖をするための人工河川を示す図である。
【符号の説明】
１：琵琶湖                      ２：取水管
３：揚水ポンプ                  ４：親魚養成池
５：人工産卵床                  ６，３７：上流側フロート
７：下流側フロート              ８：中継フロート
９：人工水路                    １０：網場
１１：係留用ワイヤー            １２，１６，７０，７１：アンカーブロック
１３：堤体                      １４：魚搬送設備
１５：テンションワイヤー        １７，３８，４２：浮力体
１８，３９，４０：水路          １９，４３，４５：張り出し床
２０：枠材                      ２１，４９：スクリーン
２２：ポリ塩化ビニール膜        ２３：軸
２４：軸受                      ２５：水車
２６：電動機付き減速機          ２７：チェーン
２８：チェーンホイール          ２９：ボラード
３０：マンホール                ３１：水中ランプ
３２：水滴又はシャワー口        ３３：ランプ
３４：片吸い込み渦巻きポンプ    ３５：放射状水連膜創生管
３６：受け台                    ４１，５５：補助フロート
４６：緩衝ゴム                  ４７：引っ掛け金物
４８：巻上機                    ５０：バラスト
５１：搬送ボックス              ５２：人工水路構成要素
５３，６６：連結材              ５４：Ｕ字形丸棒
５６：バンド鋼                  ５７：枠組み形部材
５８：重錘                      ５９：丸環
６０：主ロープ                  ６１：当て板
６２：垂直材                    ６３：支持用形部材
６４：太陽光セル                ６５：ジャバラ式水路
６７：回転ポスト                ６８：ピン
６９：Ｕ字環
【図１】
0003600966.tif 000003
【図２】
0003600966.tif 000004
【図３】
0003600966.tif 000005
【図４】
0003600966.tif 000006
【図５】
0003600966.tif 000007
【図６】
0003600966.tif 000008
【図７】
0003600966.tif 000009
【図８】
0003600966.tif 000010
【図９】
0003600966.tif 000011
【図１０】
0003600966.tif 000012
【図１１】
0003600966.tif 000013
【図１２】
0003600966.tif 000014
【図１３】
0003600966.tif 000015
【図１４】
0003600966.tif 000016
【図１５】
0003600966.tif 000017
【図１６】
0003600966.tif 000018
【図１７】
0003600966.tif 000019
【図１８】
0003600966.tif 000020
【図１９】
0003600966.tif 000021
【図２０】
0003600966.tif 000022
【図２１】
0003600966.tif 000023
【図２２】
0003600966.tif 000024
【図２３】
0003600966.tif 000025
【図２４】
0003600966.tif 000026
【図２５】
0003600966.tif 000027